(57)【特許請求の範囲】
【請求項１】
パチュリ油２重量％、シダーウッド油１重量％、フェニルエチルアルコール３０重量％、１- （２- ｔｅｒｔ- ブチルシクロヘキシロキシ）- ２- ブタノール３５重量％、酢酸ベンジル５重量％、酢酸リナリール４重量％、酢酸ゲラニル２重量％、アリルアミルグリコレート１重量％、安息香酸ベンジル４重量％、ヘキシルシンナムアルデヒド７重量％、リリーアルデヒド３重量％、１−ウンデカナール１重量％、およびメチルイオノン５重量％からなる調合香料剤が、
石鹸基材中にメタノール等の燃料成分を含有させてなる固形燃料剤の製造過程におけるその組成成分中に混合されることによって、
固形燃料剤の組成全成分１００重量部に対し、０．０００５重量部以上１重量部以下の付加量で付加されてなることを特徴とする異臭発生防止性能を有する固形燃料。
【請求項２】
石鹸基材中にメタノール等の燃料成分を含有させてなる固形燃料剤が、可燃性のフィルム材乃至シート材によって包装されて包装固形燃料材となされ、この包装固形燃料材の底面部乃至側周面部上に配される器状の金属箔受けの内底部面上と包装固形燃料材の底面部との間に、
パチュリ油２重量％、シダーウッド油１重量％、フェニルエチルアルコール３０重量％、１- （２- ｔｅｒｔ- ブチルシクロヘキシロキシ）- ２- ブタノール３５重量％、酢酸ベンジル５重量％、酢酸リナリール４重量％、酢酸ゲラニル２重量％、アリルアミルグリコレート１重量％、安息香酸ベンジル４重量％、ヘキシルシンナムアルデヒド７重量％、リリーアルデヒド３重量％、１−ウンデカナール１重量％、およびメチルイオノン５重量％からなる調合香料剤が、
固形燃料剤の組成全成分１００重量部に対し、０．０００１５重量部以上０．９０重量部以下の付加量で付加されてなることを特徴とする異臭発生防止性能を有する固形燃料。
【発明の詳細な説明】
【０００１】
【発明の属する技術分野】
本発明は、石鹸基材中にメタノール等の燃料成分を含有してなる固形燃料剤について、その消火時における異臭の発生を抑制する改良された新規な構成に関する。
【０００２】
【従来の技術】
従来より、ステアリン酸等の脂肪酸のアルカリ金属塩を基材とし、これにメタノール等の燃料を含有させてなる固形燃料が、携帯用あるいは食卓用の簡易燃料として汎用されるに至っている。
【０００３】
また、このような固形燃料は、その含有する燃料の蒸散防止や取り扱い上の便を考慮して、可燃性の樹脂フィルム材乃至シート材によって包装され、さらには器状のアルミニウム箔等の金属箔材によって部分的に包囲した構成で利用されることが多い。
【０００４】
【発明が解決しようとする課題】
この固形燃料では、前記したように、石鹸分を基材としていることから、それに含有されるメタノール等の燃料が燃え尽きる時点になると、その燃焼末期乃至消火時点において、特に低沸点の脂肪酸分乃至その分解分が気化したり、それが焼け焦げて、それに基づく異臭が周囲に発散するという欠点がある。
【０００５】
この従来の固形燃料の燃焼状態を図１０に、また、その燃焼末期乃至消火時の状態を図１１に示した。図１０に示すように、固形燃料剤１はそれを包装する樹脂フィルム材２と共に器状のアルミニウム箔等の金属箔４内で燃焼する状態となる。なお、１５はコンロ、また１６は火炎である。
【０００６】
この燃焼過程の末期においては、図１１に示すように、固形燃料剤１中のメタノール等の燃料はほとんど燃え尽きた状態となると、その消火直前の火炎１８による加熱によって残余の燃料基材１７が気化乃至燃焼してそれが異臭１９として周囲に発散されるのである。
【０００７】
この欠点に対しては、固形燃料を組成する脂肪酸を高沸点のものにしたり、高純度のものにする方法などにより、上記したような異臭の発生に対しては極力抑制対策が講じられてきたが、なお、燃焼末期乃至消火時点における異臭の発生を完全に解消することはできなかった。
【０００８】
そこで、本発明では、上記した異臭の発生を十分に抑制すること、またさらに良好な芳香、特に食卓用に適した芳香が燃焼末期乃至消火時点において得られる固形燃料の提供を目的とした。
【０００９】
【課題を解決するための手段】
上記した目的を達成するために、鋭意研究を重ねた結果、上記した固形燃料剤にある種の香料剤を付加する場合に、燃焼末期乃至消火時における前記したような異臭の発生を有効に防止し得るとの知見を得て、本発明を完成するに至った。
【００１０】
即ち、本発明は、異臭発生防止性能を有する固形燃料につき、パチュリ油２重量％、シダーウッド油１重量％、フェニルエチルアルコール３０重量％、１- （２- ｔｅｒｔ- ブチルシクロヘキシロキシ）- ２- ブタノール３５重量％、酢酸ベンジル５重量％、酢酸リナリール４重量％、酢酸ゲラニル２重量％、アリルアミルグリコレート１重量％、安息香酸ベンジル４重量％、ヘキシルシンナムアルデヒド７重量％、リリーアルデヒド３重量％、１−ウンデカナール１重量％、およびメチルイオノン５重量％からなる調合香料剤が、石鹸基材中にメタノール等の燃料成分を含有させてなる固形燃料剤の製造過程におけるその組成成分中に混合されることによって、固形燃料剤の組成全成分１００重量部に対し、０．０００５重量部以上１重量部以下の付加量で付加されてなることを特徴とする。
【００１１】
また、本発明の異臭発生防止性能を有する固形燃料は、石鹸基材中にメタノール等の燃料成分を含有させてなる固形燃料剤が、可燃性のフィルム材乃至シート材によって包装されて包装固形燃料材となされ、この包装固形燃料材の底面部乃至側周面部上に配される器状の金属箔受けの内底部面上と包装固形燃料材の底面部との間に、パチュリ油２重量％、シダーウッド油１重量％、フェニルエチルアルコール３０重量％、１- （２- ｔｅｒｔ- ブチルシクロヘキシロキシ）- ２- ブタノール３５重量％、酢酸ベンジル５重量％、酢酸リナリール４重量％、酢酸ゲラニル２重量％、アリルアミルグリコレート１重量％、安息香酸ベンジル４重量％、ヘキシルシンナムアルデヒド７重量％、リリーアルデヒド３重量％、１−ウンデカナール１重量％、およびメチルイオノン５重量％からなる調合香料剤が、固形燃料剤の組成全成分１００重量部に対し、０．０００１５重量部以上０．９０重量部以下の付加量で付加されてなることを特徴とする。
【００１２】
なお、上記した調合香料剤について、天然香料としては、レモン油、オレンジ油、サンダルウッド油、ケイヒ油、チョウジ油など、また、アルコール類としては、フェニルエチルアルコール、ｌ-メントール、ゲラニオール、ジメチルベンジルカルビノール、テルピネオール、オイゲノール、イソオイゲノールなど、また、エステル類としては、アリルアミルグリコレート、ゲラニオールエステル、リナロールエステルなど、また、アルデヒド類としては、リリーアルデヒド、１-ウンデカナール、シトロネラール、シトラール、バニリン、ｎ-ヘキサデシルアルデヒド、Ｃ-１０脂肪酸アルデヒド、Ｃ-１６脂肪酸アルデヒド、Ｃ-１８脂肪酸アルデヒド、アニスアルデヒドなど、またケトン類としては、メチルイソアシルケトン、α-イオノン、β-イオノンなど、また、テルペン類としては、リモネンなどを挙げることができる。
【００１３】
また、このような香料剤又は調合香料剤の固形燃料剤への付加構成としては、先ず、固形燃料剤の組成成分中にこの香料剤を添加混合したものとすることができる。この場合、具体的には、固形燃料剤の製造過程中においてこの香料剤を添加することにより得ることができる。
【００１４】
また、上記した香料剤又は調合香料剤の付加構成には、固形燃料剤に対し直接的に付加する場合のほか、固形燃料剤に対し間接的に付加する場合をも含む。
上記した直接的な付加構成としては、例えば、固形燃料剤の表面、好ましくは固形燃料剤の底面部若しくはこの底面部近傍の側周面部又はこの底面部から側周面部に渡って上記した香料剤又は調合香料剤を直接付着させる場合である。
【００１５】
また、上記した香料剤又は調合香料剤の間接的な付加構成としては、例えば次のような構成である。
先ず、第一に、可燃性のフィルム材乃至シート材によって固形燃料剤の周面の一部又は全体が包装された包装固形燃料材の周面部上に好ましくはその底面部若しくは側周面部、又はその底面部及び側周面部上に香料剤又は調合香料剤を付着させる構成である。
【００１６】
また、第二に、例えば、液剤を保持し得るポーラスな部分を有する素焼陶片やグラスウールの生地材など不燃性材あるいは、ろ紙などの紙材や樹脂材からなる不織布などの可燃性材を基材として、これに香料剤又は調合香料剤を含有させて含有材としたものを、前記した固形燃料剤あるいは包装固形燃料材上に付帯させることにより一体化した構成である。
【００１７】
また、第三に、前記した包装固形燃料材の周面部にアルミニウム箔等の金属箔材を器状にして固定する構造において、この金属箔受器の内面部上に香料剤又は調合香料剤を付着させておく構成、あるいは上記両者を相互に固定するために介在させる接着剤中に香料剤又は調合香料剤を予め含有させておく構成である。なお、この接着剤としては、接着時に固化するタイプのもののほか、粘着タイプやホットメルトタイプのものが含まれる。またこの接着剤の塗布形態は、例えば、前記した金属箔材の接合面全体に積層するもののほか、接着剤をその接合面上に多数点在させたものであってもよい。
【００１８】
また、本発明に係る効果をより高めるために、上記した各構成を適宜組合わせた構成、例えば、香料剤等を表面上に付着させた固形燃料剤を香料剤等を含有する可燃性のフィルム材により包装した構成とすることもできる。
【００１９】
このように固形燃料剤に前記した香料剤又は調合香料剤が付加された構成の固形燃料によれば、その燃焼の消火直前における高温状態で、その香料剤の気化ガスによる化学反応により、あるいはそのマスキング効果により、前記した異臭に対する消臭効果に加えて芳香効果も発揮される。
【００２０】
このような本発明における作用から固形燃料での消臭効果は、その燃焼末期乃至消火時点において発揮されればより効果的であるから、固形燃料の底部付近に香料剤が付加される構成がより有効であり、また香料剤の付加量もより少なくて済むと考えられる。
【００２１】
この点から、固形燃料剤に対する香料剤の付加量は、先ず第一に、その付加構成によって違いが認められ、また第二に付加される香料剤が単一剤か、２種以上の混合香料剤であるかあるいは調合香料剤であるかによっても違いが認められるから、一概には定まらない。
【００２２】
この付加量については、例えば、付加構成が前記した固形燃料剤中への混合組成である場合、単一香料剤については、固形燃料剤の組成全成分１００重量部に対して、０．０００５〜１重量部の範囲の割合であることが好ましい。この香料剤の付加量が０．０００５重量部未満であると、燃焼末期乃至消火時の消臭効果が不完全となり、また１重量部を超えると、香料剤の芳香が強くなり過ぎたりまた経済的利用が図れなくなることがあるからである。
【００２３】
また、付加構成が前記した固形燃料剤の底部面又は／及び側周面部上に直接あるいは間接に香料剤を付着させたものである場合、単一香料剤については、固形燃料剤１００重量部に対して、０．０００５〜１重量部の範囲の割合であることが好ましい。この香料剤の付加量が０．０００５重量部未満であると、燃焼末期乃至消火時の消臭効果が不完全となり、また１重量部を超えると、香料剤に基づく芳香が強くなり過ぎたりまた経済的利用が図れなくなることがある。
【００２４】
また、上記同様の付加構成において、用いられる香料剤が調合香料剤である場合には、前記した必須的な香料剤以外の成分による異臭に対するマスキング効果が期待されるから、前記必須香料成分の使用割合は上記した単一香料剤の場合に比してより少なくてよい。
【００２５】
また、付加構成が前記した香料剤を包装フィルム材あるいは接着剤中に含有してなる場合、単一香料剤については固形燃料剤１００重量部に対して、０．０００１〜１．０重量部の範囲の割合であることが好ましい。この香料剤の付加量が０．０００１重量部未満であると燃焼末期乃至消火時の消臭効果が不完全となり、また１．０重量部を超える場合には配合すること自体が困難となる。
【００２６】
【発明の実施の態様】
次に、本発明の実施の態様を説明する。
先ず、図１に示す固形燃料Ａは、脂肪酸ナトリウム（Ｃ-１８脂肪酸９５％含有）８重量％、メタノール９０重量％、水２重量％、その他からなる固形燃料剤１中に香料剤又は調合香料剤（以下、「香料剤等」という。）αを均一に含有させた燃料本体（１５〜３０ｇ）に対して、その周囲をポリプロピレン製フィルム２によってシュリンク包装し、さらにこの底部を含む部分に対しアルミニウム箔受け４を器状にして被着させてなる。なお、３はフィルム２の封止部である。
【００２７】
この固形燃料Ａによれば、燃焼する固形燃料剤１から香料剤等αが気化乃至燃焼してその特有の香気が周囲に発散し、またその燃焼末期乃至消火時において消臭作用が発揮される。
【００２８】
次に、図２に示す固形燃料Ｂは、上記同様の組成の固形燃料剤１の底部面上に香料剤等αを付着させ、これをさらに前記同様の樹脂フィルム２でシュリンク包装したものであり、これにはさらにアルミニウム箔受け４が被着される。
【００２９】
この固形燃料Ｂによれば、固形燃料剤１の燃焼過程末期乃至消火時点において、香料剤等αが気化乃至燃焼して消臭効果が発揮される。
【００３０】
また、図３に示す固形燃料Ｃは、前記同様の組成の固形燃料剤１の周囲を前記同様の樹脂フィルム２でシュリンク包装し、さらにこの包装燃料の底部部分に前記同様に被着されるアルミニウム箔材４′の中央部付近に香料剤等αが付着されてなる。なお、５はこのアルミニウム箔材４′を上記包装燃料の側面部上で固定する粘着剤であり、また６は折曲部の位置を示す。
【００３１】
この固形燃料Ｃにおいても、上記した固形燃料Ｂと同様の作用効果が発揮される。なお、この場合、固形燃料Ｂの場合と違って、香料剤等αがフィルム２の下部に存在するため、その気化乃至燃焼は、固形燃料剤１の燃焼過程の末期において、対応するフィルム２部分が燃焼により消失する時点において始まる。従って、香料剤等αによる消臭等の作用及び効果は、その消火直前から集中的に発揮されることになる。
【００３２】
また、図４に示す固形燃料Ｄは、香料剤等αを含有する包装フィルム７によって、前記同様の固形燃料剤１をシュリンク包装したものであり、これには前記同様にアルミニウム箔受け４が被着されてなる。
【００３３】
この固形燃料Ｄでは、固形燃料剤１の燃焼過程において、フィルム７が同時に燃焼する際に、その含有する香料剤等αは気化乃至燃焼し、その作用及び効果が燃焼末期から消火時点にまで継続することによって、その消臭等の効果が発揮される。
【００３４】
また、図５に示す固形燃料Ｅは、アルミニウム箔材４′の片面上に香料剤等αを均一に含有させた熱溶着剤層８を設け、これを器状のアルミニウム箔材４として、前記同様の固形燃料剤１を前記したフィルム２でシュリンク包装した包装燃料の底部部分に被着させてなる。なお、９はアルミニウム箔材４′の折曲部の位置を示す。
【００３５】
この固形燃料Ｅにおける香料剤等αの気化乃至燃焼の発生時点は、固形燃料Ｄでは着火時点から生じるのに対し、着火後に火炎がアルミニウム箔受け４の上縁部に達するまでの一定時間後である点で違いはあるが、その後は、固形燃料Ｄとほぼ同様であり、また燃焼末期乃至消火時の消臭効果もほぼ同様に発揮される。
【００３６】
また、図６に示す固形燃料Ｆは、アルミニウム箔材４の片面上に香料剤等αを均一に含有させた接着剤を点状に積層した接着剤層１０…を均一位置に設け、これを器状のアルミニウム箔材４として固形燃料剤１を包装するフィルム２面上に固定してなる。
【００３７】
また、図７に示す固形燃料Ｇは、アルミニウム箔材４′の片面上に香料剤等αを均一に含有させた接着剤を細点状に密に積層した熱溶着剤層１１…を設け、これを固形燃料Ｆと同様に器状のアルミニウム箔材４として固定したものである。
【００３８】
これらの固形燃料Ｆ及びＧについても、前記同様に固形燃料剤１の燃焼末期において接着剤層１０あるいは熱溶着剤層１１から、その含有する香料剤等αによる作用が発揮される。
【００３９】
また、図８に示す固形燃料Ｈは、薄厚の素焼陶片を基材とし、これに香料剤等αを滴下含有させた含有材１２を固形燃料剤１の底部面上に配したものであり、包装フィルム２によって実質的に固定されている。
【００４０】
また、図９に示す固形燃料Ｉは、テープ状のグラスウールの生地材を基材とし、これに香料剤等αを滴下含有させた含有材１３を固形燃料剤１の包装フィルム２面上であってその底部近傍の側周面上に周回状態で配したものである。なお、この含有材１３に対しては、さらにアルミニウム箔材４によって被覆した構成とすることができる。
【００４１】
上記した固形燃料Ｈ及びＩについても、前記同様に固形燃料剤１の燃焼末期において含有材１２又は１３から、その含有する香料剤等αによる作用が発揮される。
【実施例】
（実施例１）次表１に消臭成分として掲示する各香料剤をそれぞれ各別に前記した固形燃料Ｃの形態のものとして構成した。なお、表１中の付加量は固形燃料剤１００重量部に対する香料剤等の重量部割合である。
【表１】
0003934208.tif 000002
【００４２】
即ち、各固形燃料は、それぞれ前記同様の組成からなる固形燃料剤１の２５ｇをポリプロピレンフィルム２でシュリンク包装して包装固形燃料としたものに対し、内底部面上に香料剤αが付着された器状のアルミニウム箔材４を被着しこれらを粘着剤５…により固定することによって固形燃料ｃとして構成したものである。なお、上記香料剤αは包装固形燃料の底部のフィルム２面上にも付着した状態となっている。
【００４３】
なお、表１中の調合香料剤は、次表２に示す複数の配合成分をその示す混合割合で混合することによって調合した香料剤である。
【表２】
0003934208.tif 000003
【００４４】
表１に示した各固形燃料について、前記の図１０に示した態様でそれぞれ燃焼させ、その燃焼末期乃至消火直後における異臭に対する消臭効果、その際に生じる匂いの種類及びその強度、並びに発煙の有無を確認し、これらの諸点について総合評価し、その結果を表１に示した。
【００４５】
なお、上記した消臭効果及び異臭の種類等については、パネラー５名（２０〜３０歳代、男３名、女２名）がそれぞれその臭覚に基づいて判断した結果、その過半数を超える者の判断として、固形燃料剤の脂肪酸等に基づく臭気が、全く認められないとき消臭効果有りで○、その臭気は僅かに認められるが香料剤に基づく臭気が優勢であるときも消臭効果有りとし△、上記脂肪酸等に基づく臭気が明確に認められるとき×、とした。
【００４６】
また、固形燃料剤の燃焼末期乃至消火時時点における付加した香料剤に基づく匂いについては、パネラー５名（２０〜３０歳代、男３名、女２名）がそれぞれその臭覚に基づいて判断した結果、その匂いが食卓用として、全員が適していると判断したときａ、適していると判断した者が３〜４名のときｂ、適していると判断した者が０〜２名のときｃ、とした。またその匂いの強度は、上記したパネラーの多数者の判断として、極く弱いとき１、弱いとき２、強いとき３、とした。なお、この匂いの強度は、前記した消臭効果について×で示される脂肪酸塩に基づく臭気が発生した場合には判断されない。また、発煙の有無は単一人の視覚による判断によって行ない、発煙が生じないときは無とし、発煙が生じたときはその性状で示した。
【００４７】
また、前記した消臭効果と匂いの種類及び強度から、消臭効果が○でかつ匂いについてその強度が２以下であって、匂いの種類がａにランクされるとき◎、またその匂いの種類がｂにランクされるとき○、また消臭効果が△であるとき△、またこれらのいずれにも属さないとき×、として評価するが、但し、発煙の有無について黒煙が生じる場合には、上記の評価が◎のとき○、上記の評価が○のとき△及び上記の評価が△のとき×、と総合評価した。
【００４８】
表１に示した結果から、消臭成分がパチュリ油、シダーウッド油、１-（２-ｔｅｒｔ-ブチルシクロヘキシロキシ）-２-ブタノール、リナロール、酢酸ベンジル、酢酸リナリール、酢酸ゲラニル、安息香酸ベンジル、α-ｎ-ヘキシルシンナムアルデヒド、３-（４-ｔｅｒｔ-ブチルフェニル）イソブチルアルデヒド、メチルイオノン、並びに表２に示す調合香料剤のいずれかである場合には、良好な消臭効果が発揮されることを確認できる。また、特に、調合香料剤によれば、生じる匂いについても食卓用として特に適していることも判る。
【００４９】
（実施例２）次表３に消臭成分として掲示する各香料剤及び表２の調合香料剤について、その付加量を固形燃料剤１００重量部に対して、表３に掲示する重量部割合で、各別に実施例１と同様に構成し、それぞれ固形燃料を得た。なお、香料剤の付加量が０．００００４重量部及び１．０５重量部の場合は比較例として示した。
【表３】
0003934208.tif 000004
【００５０】
これらについて固形燃料を前記した図１０に示した態様で燃焼させ、その消火時点における異臭に対する消臭効果及びその際に生じる匂いの種類と強度についての結果を示した。なお、これらについての評価基準は、実施例１の場合と同じである。
【００５１】
表３に示した結果から、前記した固形燃料Ｃの形態において、香料剤又は調合香料剤の付加量が０．０００１重量部未満である場合には、消臭効果が十分に得られないこと。また、その付加量が１重量部を超える場合には、香料剤に基づく匂いが過度となってしまうことが判る。
【００５２】
（実施例３）次表４に消臭成分として掲示する各香料剤及び表２の調合香料剤を各別に前記した固形燃料Ａの形態のものとして構成した。
【表４】
0003934208.tif 000005
【００５３】
即ち、前記と同じ配合割合で、メタノール中に脂肪酸を混入し、これを約６５℃の温度条件下で溶解させる。次いで、この溶解液中に所定の香料剤又は調合香料剤を混入して後、水酸化ナトリウムの水溶液を注加して中和し、これを冷却固化させた。なお、この場合、上記の香料剤は、この固化物１００重量部に対し、０．０１７重量部の配合量とした。これを２５ｇの円柱状の固形燃料剤１として成形し、ポリプロピレンフィルム２によりシュリンク包装した後、器状にしたアルミニウム箔４を被着させて固形燃料Ａの形態とした。
【００５４】
これらの各固形燃料について、前記した図１０に示した態様でそれぞれ燃焼させ、その燃焼末期乃至消火直後における異臭に対する消臭効果、その際に生じる匂いの種類及びその強度、並びに発煙の有無を確認し、これら諸点について総合評価し、その結果を表４に示した。なお、各評価基準は、実施例１の場合と同じである。
【００５５】
表４に示した結果から、消臭成分がパチュリ油、シダーウッド油、１-（２-ｔｅｒｔ-ブチルシクロヘキシロキシ）-２-ブタノール、リナロール、酢酸ベンジル、酢酸リナリール、酢酸ゲラニル、安息香酸ベンジル、α-ｎ-ヘキシルシンナムアルデヒド、３-（４-ｔｅｒｔ-ブチルフェニル）イソブチルアルデヒド、メチルイオノン、及び表２に示した調合香料剤である場合には、良好な消臭効果が発揮されることを確認できる。また、この構成形態においても、特に、調合香料剤によれば、生じる匂いについても特に食卓用として適していることも判る。
【００５６】
（実施例４）
次表５に消臭成分として掲示する香料剤及び表２の調合香料剤について、その配合量を固形燃料剤１００重量部に対し０．０００５重量部及び１重量部として、各別に上記した実施例３と同様に構成して、それぞれ固形燃料を得た。なお、その配合量が０．０００１重量部及び２重量部の場合は、比較例として示した。
【表５】
0003934208.tif 000006
【００５７】
これらの固形燃料を前記した図１０に示した態様で燃焼させ、その燃焼末期乃至消火時点における異臭に対する消臭効果及びその際に生じる匂いの種類と強度についての結果を示した。なお、これらについての評価基準は実施例１の場合と同じである。
【００５８】
表５に示した結果から、前記した固形燃料Ａの形態において、固形燃料剤１００重量部に対し香料剤の配合量が０．０００５重量部未満である場合には、消臭効果が十分に得られないこと。また、その配合量が１重量部を超える場合には、香料剤に基づく匂いが過度になってしまうことが判る。
【００５９】
【発明の効果】
上述したように本発明は構成されることから、次のような効果が発揮される。本発明においては、メタノール等を燃料成分とする固形燃料について、所定の調合香料剤を付加する構成としたことから、特に燃焼末期乃至消火直後において生じる異臭を有効に消臭することができる。
【００６０】
また、上記した本発明の構成において、付加すべき調合香料剤の量は極く微量でその効果を有効に発揮させることができるから、経済的な利用が可能であり、また特に、その付加が固形燃料剤の側周面部を含む底部付近になされる場合には、より経済的かつ効率的な利用が可能となる。
【００６１】
また、付加される調合香料剤はそれ自体芳香を発し、それは当該固形燃料が燃焼状態にある場合においても芳香として生じることから、使用前及び使用過程において、芳香剤同様のものとして利用することもできると共に、特に、食卓用として適したものとして構成することもできる。
【図面の簡単な説明】
【図１】  本発明に係る固形燃料の部分破断面斜視図
【図２】  同の部分破断面斜視図
【図３】  同の一部展開斜視図
【図４】  同の部分破断面斜視図
【図５】  同の一部展開斜視図
【図６】  同の一部展開斜視図
【図７】  同の一部展開斜視図
【図８】  同の部分破断面斜視図
【図９】  同の斜視図
【図１０】  従来固形燃料の燃焼状態を示す部分縦断面図
【図１１】  同の燃焼の末期状態を示す部分縦断面図
【符号の説明】
Ａ〜Ｉ  固形燃料
α  香料剤
１  固形燃料剤
２  包装フィルム
４  アルミニウム箔受け
８  熱溶着剤層
１０  接着剤層
１１  熱溶着剤層
１２，１３  含有材
【図１】
0003934208.tif 000007
【図２】
0003934208.tif 000008
【図３】
0003934208.tif 000009
【図４】
0003934208.tif 000010
【図５】
0003934208.tif 000011
【図６】
0003934208.tif 000012
【図７】
0003934208.tif 000013
【図８】
0003934208.tif 000014
【図９】
0003934208.tif 000015
【図１０】
0003934208.tif 000016
【図１１】
0003934208.tif 000017